(57)【特許請求の範囲】
【請求項１】
貯水タンクの手洗い部に配置され、容器本体内に収容された水溶性薬剤を前記貯水タンクに設けられた手洗い用カランからの供給水で溶解する薬剤容器において、
前記水溶性薬剤を載置する載置部を前記供給水が浸透する浸透部材で構成し、該載置部の少なくとも一部が前記容器本体の底面より下方へ突出するように構成する一方、
前記容器本体の上部に側方へ向けて開口する側方開口部を開設するとともに、
前記容器本体の少なくとも上部を、下方へ向かうに従って側方へ突出する傾斜部と、該傾斜部の上部中央部より上方へ向けて起立した筒状の起立部と、該起立部の上部を閉鎖する屋根部とで構成し、前記起立部に内部へ連通する前記側方開口部を設けたことを特徴とする薬剤容器。
【請求項２】
貯水タンクの手洗い部に配置され、容器本体内に収容された水溶性薬剤を前記貯水タンクに設けられた手洗い用カランからの供給水で溶解する薬剤容器において、
前記水溶性薬剤を載置する載置部を前記供給水が浸透する浸透部材で構成し、該載置部の少なくとも一部が前記容器本体の底面より下方へ突出するように構成する一方、
前記容器本体の上部に側方へ向けて開口する側方開口部を開設するとともに、
該側方開口部の上部に側方へ向けて突出する庇部を設けたことを特徴とする薬剤容器。
【請求項３】
貯水タンクの手洗い部に配置され、容器本体内に収容された水溶性薬剤を前記貯水タンクに設けられた手洗い用カランからの供給水で溶解する薬剤容器において、
前記水溶性薬剤を載置する載置部を前記供給水が浸透する浸透部材で構成し、該載置部の少なくとも一部が前記容器本体の底面より下方へ突出するように構成する一方、
前記容器本体の上部に側方へ向けて開口する側方開口部を開設するとともに、
前記容器本体の少なくとも上部を、下方へ向かうに従って側方へ突出する傾斜部と、該傾斜部の上部中央部より上方へ向けて起立した筒状の起立部と、該起立部の上部を閉鎖する屋根部とで構成し、前記起立部に内部へ連通する前記側方開口部を設け、
前記屋根部の周縁部を前記起立部より側方へ突出して、前記側方開口部の上部に側方へ向けて突出する庇部を設けたことを特徴とする薬剤容器。
【発明の詳細な説明】
【技術分野】
【０００１】
本発明は、水溶性薬剤を収容した薬剤容器に関する。
【背景技術】
【０００２】
従来、トイレにおいて、貯水タンクに配置して使用する芳香洗浄剤が知られている（例えば、特許文献１から特許文献４参照。）。
【０００３】
この芳香洗浄剤は、容器本体を備えており、該容器本体内には、固形状の水溶性薬剤が収容されている。前記容器本体は、上部構成部と下部構成部とによって構成されており、上部構成部を着脱することで、前記水溶性薬剤を交換できるように構成されている。
【０００４】
前記上部構成部の天面には、内部に水を取り入れるための取入口が開設されており、前記下部構成部は、流入した水を排出する排出口が開設されている。
【０００５】
この芳香洗浄剤を使用する際には、前記貯水タンク上部に設けられた手洗い部に前記芳香洗浄剤を載置するとともに、該芳香洗浄剤を、手洗い用のカランの下部に配置する。この状態において、トイレを使用して水を流すと、前記カランから供給された水が前記芳香洗浄剤上に流れ落ちる。
【０００６】
このとき、前記容器本体の前記上部構成部には、前記取入口が開口しており、前記カランからの水が前記取入口を介して前記容器本体内に取り込まれる。すると、該容器本体に収容された前記水溶性薬剤が、その外周部からゆっくりと溶解し、当該水溶性薬剤に含まれた洗浄成分の溶け込んだ水が前記タンク内に貯留されるように構成されている。一方、前記水溶性薬剤の上面からは、芳香成分が揮散するように構成されており、揮散した芳香成分は、前記取入口を介して外部に放出されるように構成されている。
【先行技術文献】
【特許文献】
【０００７】
【特許文献１】実開平６−００８４７０公報
【特許文献２】実開平６−０６７５７４公報
【特許文献３】特開平１１−２４１３８８公報
【特許文献４】特開２００１−０７３４３２公報
【発明の概要】
【発明が解決しようとする課題】
【０００８】
しかしながら、このような従来の薬剤容器にあっては、天面の取入口から取り込まれた水によって内部の水溶性薬剤を溶解する構造上、溶解過程において、前記水溶性薬剤は、その外周部から溶解して小さくなる。
【０００９】
このため、この水溶性薬剤は、水と接する周面の表面積が徐々に狭くなり、経時的に溶解量が少なくなってしまう。
【００１０】
また、外周部から溶解して小さくなるため、上面の表面積が徐々に狭くなる。これにより、芳香成分の揮散量が経時的に低下するという問題があった。
【００１１】
本発明は、このような従来の課題に鑑みてなされたものであり、水溶性薬剤による効果を安定して持続することができる薬剤容器を提供することを目的とするものである。
【課題を解決するための手段】
【００１２】
前記課題を解決するために本発明の請求項１の薬剤容器にあっては、貯水タンクの手洗い部に配置され、容器本体内に収容された水溶性薬剤を前記貯水タンクに設けられた手洗い用カランからの供給水で溶解する薬剤容器において、前記水溶性薬剤を載置する載置部を前記供給水が浸透する浸透部材で構成し、該載置部の少なくとも一部が前記容器本体の底面より下方へ突出するように構成する一方、前記容器本体の上部に側方へ向けて開口する側方開口部を開設するとともに、前記容器本体の少なくとも上部を、下方へ向かうに従って側方へ突出する傾斜部と、該傾斜部の上部中央部より上方へ向けて起立した筒状の起立部と、該起立部の上部を閉鎖する屋根部とで構成し、前記起立部に内部へ連通する前記側方開口部を設けた。
【００１３】
すなわち、トレイには、水洗用の貯水タンクが設けられており、該貯水タンクの上部には、手を洗うための手洗い部が設けられている。この手洗い部には、手洗い用カランが設けられており、該カランからは、トレイを流す度に水が供給されるように構成されている。
【００１４】
前記薬剤容器を使用する際には、前記容器本体を前記貯水タンクの前記手洗い部に配置する。この状態において、トイレの水を流す。すると、前記カランからは、手洗い用の水が供給され、前記手洗い部で受けられる。
【００１５】
このとき、この手洗い部には、前記容器本体が載置されており、該容器本体内に収容された水溶性薬剤は、載置部に載置されている。この載置部は、供給水が浸透する浸透部材で構成されており、当該載置部の少なくとも一部は、前記容器本体の底面より下方へ突出するように構成されている。
【００１６】
このため、前記カランから供給され前記容器本体の下部を流れる供給水は、前記載置部で吸水され、当該載置部上に載置された前記水溶性薬剤は、前記載置部に接する底面から徐々に溶解する。
【００１７】
一方、前記容器本体の上部には、側方へ向けて開口する側方開口部が開設されている。このため、前記水溶性薬剤から揮散した揮散成分は、前記側方開口部を介して外部へ放出される。
【００１８】
このとき、この側方開口部は、側方へ向けて開口している。このため、当該容器本体が前記カランの真下に配置され、当該カランからの供給水が容器本体上方から供給される場合であっても、当該供給水の前記側方開口部を介した容器本体内部への浸入が防止される。
【００２０】
また、前記容器本体の少なくとも上部は、下方へ向かうに従って側方へ突出する傾斜部と、該傾斜部の上部中央部より上方へ向けて起立した筒状の起立部と、該起立部の上部を閉鎖する屋根部とによって構成されており、前記起立部に前記側方開口部が設けられている。
【００２１】
このため、前記容器本体が前記カランの真下に配置され、該カランから供給水が供給された際には、供給水が前記容器本体の上部を構成する屋根部に沿って、その外周方向へ案内された後、傾斜部に沿って外周部へ向けて案内される。
【００２２】
このとき、前記傾斜部の上部中央部には、上方へ向けて起立した起立部が起立しており、該起立部には、前記側方開口部が設けられている。このため、前記屋根部及び前記傾斜部に沿って流れる供給水は、前記側方開口部から離れる方向に案内される。
【００２３】
また、請求項２の薬剤容器では、貯水タンクの手洗い部に配置され、容器本体内に収容された水溶性薬剤を前記貯水タンクに設けられた手洗い用カランからの供給水で溶解する薬剤容器において、前記水溶性薬剤を載置する載置部を前記供給水が浸透する浸透部材で構成し、該載置部の少なくとも一部が前記容器本体の底面より下方へ突出するように構成する一方、前記容器本体の上部に側方へ向けて開口する側方開口部を開設するとともに、該側方開口部の上部に側方へ向けて突出する庇部を設けた。
【００２４】
すなわち、トレイには、水洗用の貯水タンクが設けられており、該貯水タンクの上部には、手を洗うための手洗い部が設けられている。この手洗い部には、手洗い用カランが設けられており、該カランからは、トレイを流す度に水が供給されるように構成されている。
前記薬剤容器を使用する際には、前記容器本体を前記貯水タンクの前記手洗い部に配置する。この状態において、トイレの水を流す。すると、前記カランからは、手洗い用の水が供給され、前記手洗い部で受けられる。
このとき、この手洗い部には、前記容器本体が載置されており、該容器本体内に収容された水溶性薬剤は、載置部に載置されている。この載置部は、供給水が浸透する浸透部材で構成されており、当該載置部の少なくとも一部は、前記容器本体の底面より下方へ突出するように構成されている。
このため、前記カランから供給され前記容器本体の下部を流れる供給水は、前記載置部で吸水され、当該載置部上に載置された前記水溶性薬剤は、前記載置部に接する底面から徐々に溶解する。
一方、前記容器本体の上部には、側方へ向けて開口する側方開口部が開設されている。このため、前記水溶性薬剤から揮散した揮散成分は、前記側方開口部を介して外部へ放出される。
このとき、この側方開口部は、側方へ向けて開口している。このため、当該容器本体が前記カランの真下に配置され、当該カランからの供給水が容器本体上方から供給される場合であっても、当該供給水の前記側方開口部を介した容器本体内部への浸入が防止される。
そして、前記側方開口部の上部には、側方へ向けて突出する庇部が設けられており、前記カランからの供給水が前記側方開口部へ向けて流れた場合には、当該供給水は前記庇部によって側方へ案内される。
【００２５】
さらに、請求項３の薬剤容器にあっては、貯水タンクの手洗い部に配置され、容器本体内に収容された水溶性薬剤を前記貯水タンクに設けられた手洗い用カランからの供給水で溶解する薬剤容器において、前記水溶性薬剤を載置する載置部を前記供給水が浸透する浸透部材で構成し、該載置部の少なくとも一部が前記容器本体の底面より下方へ突出するように構成する一方、前記容器本体の上部に側方へ向けて開口する側方開口部を開設するとともに、前記容器本体の少なくとも上部を、下方へ向かうに従って側方へ突出する傾斜部と、該傾斜部の上部中央部より上方へ向けて起立した筒状の起立部と、該起立部の上部を閉鎖する屋根部とで構成し、前記起立部に内部へ連通する前記側方開口部を設け、前記屋根部の周縁部を前記起立部より側方へ突出して、前記側方開口部の上部に側方へ向けて突出する庇部を設けた。
【００２６】
すなわち、トレイには、水洗用の貯水タンクが設けられており、該貯水タンクの上部には、手を洗うための手洗い部が設けられている。この手洗い部には、手洗い用カランが設けられており、該カランからは、トレイを流す度に水が供給されるように構成されている。
前記薬剤容器を使用する際には、前記容器本体を前記貯水タンクの前記手洗い部に配置する。この状態において、トイレの水を流す。すると、前記カランからは、手洗い用の水が供給され、前記手洗い部で受けられる。
このとき、この手洗い部には、前記容器本体が載置されており、該容器本体内に収容された水溶性薬剤は、載置部に載置されている。この載置部は、供給水が浸透する浸透部材で構成されており、当該載置部の少なくとも一部は、前記容器本体の底面より下方へ突出するように構成されている。
このため、前記カランから供給され前記容器本体の下部を流れる供給水は、前記載置部で吸水され、当該載置部上に載置された前記水溶性薬剤は、前記載置部に接する底面から徐々に溶解する。
一方、前記容器本体の上部には、側方へ向けて開口する側方開口部が開設されている。このため、前記水溶性薬剤から揮散した揮散成分は、前記側方開口部を介して外部へ放出される。
このとき、この側方開口部は、側方へ向けて開口している。このため、当該容器本体が前記カランの真下に配置され、当該カランからの供給水が容器本体上方から供給される場合であっても、当該供給水の前記側方開口部を介した容器本体内部への浸入が防止される。
また、前記容器本体の少なくとも上部は、下方へ向かうに従って側方へ突出する傾斜部と、該傾斜部の上部中央部より上方へ向けて起立した筒状の起立部と、該起立部の上部を閉鎖する屋根部とによって構成されており、前記起立部に前記側方開口部が設けられている。
このため、前記容器本体が前記カランの真下に配置され、該カランから供給水が供給された際には、供給水が前記容器本体の上部を構成する屋根部に沿って、その外周方向へ案内された後、傾斜部に沿って外周部へ向けて案内される。
このとき、前記傾斜部の上部中央部には、上方へ向けて起立した起立部が起立しており、該起立部には、前記側方開口部が設けられている。このため、前記屋根部及び前記傾斜部に沿って流れる供給水は、前記側方開口部から離れる方向に案内される。
さらに、前記側方開口部の上部には、側方へ向けて突出する庇部が設けられており、前記カランからの供給水が前記側方開口部へ向けて流れた場合には、当該供給水は前記庇部によって側方へ案内される。
そして、前記屋根部は、その周縁部が前記起立部より側方へ突出しており、当該屋根部の周縁部によって前記庇部が形成されている。
【００２７】
このため、前記屋根部の一部は、前記庇部として有効利用されてる。
【００２８】
また、前記屋根部に落ちた前記供給水は、前記庇部を構成する部分によって前記側方開口部から離れる方向に案内される。
【発明の効果】
【００２９】
以上説明したように本発明の請求項１の薬剤容器にあっては、容器本体の上部に開設された側方開口部は、側方へ向けて開口するように構成されている。
【００３０】
このため、前記容器本体がカランの真下に配置され、当該カランからの供給水が容器本体上方から供給される場合であっても、前記側方開口部を介した容器本体内部への前記供給水の浸入を防止することができるとともに、前記水溶性薬剤からの揮散成分を前記側方開口部から外部へ放出することができる。
【００３１】
そして、水洗時には、容器本体の下部を流れる供給水を載置部が吸収することで、該載置部に載置された水溶性薬剤を、当該載置部に接した底面から徐々に溶解することができる。
【００３２】
このため、容器本体天面の取入口から取り込まれた水によって、内部の水溶性薬剤を外周部から溶解して小さくする構造上、溶解が進行するに連れて供給水と接する周面の表面積が徐々に小さくなる従来と比較して、経時的な溶解速度の低下を防止することができる。これにより、溶解時に放出する溶解成分の供給量を一定に保持することができる。
【００３３】
また、前記水溶性薬剤が外周部から溶解して小さくなる構造上、揮散成分が揮散する上面の表面積が徐々に狭くなる従来と比較して、上面から揮散する揮散成分の揮散量の経時的な減少を防止することができる。これにより、揮散成分の揮散量を一定に保持することができる。
【００３４】
したがって、水溶性薬剤による効果を最後まで安定して持続させることができる。
【００３５】
また、カランからの供給水が容器本体の上部から供給された場合であっても、当該供給水を前記容器本体の上部を構成する屋根部に沿って、その外周方向へ流した後、傾斜部に沿って外周部へ向けて流すことができる。
【００３６】
このとき、前記傾斜部の上部中央部には、上方へ向けて起立した起立部が起立しており、この起立部に、前記側方開口部が設けられている。このため、前記屋根部及び前記傾斜部に沿って流れる供給水を、前記側方開口部から離れる方向に案内することができ、前記側方開口部からの浸入を防止することができる。
【００３７】
また、本発明の請求項２の薬剤容器にあっては、容器本体の上部に開設された側方開口部は、側方へ向けて開口するように構成されている。
このため、前記容器本体がカランの真下に配置され、当該カランからの供給水が容器本体上方から供給される場合であっても、前記側方開口部を介した容器本体内部への前記供給水の浸入を防止することができるとともに、前記水溶性薬剤からの揮散成分を前記側方開口部から外部へ放出することができる。
そして、水洗時には、容器本体の下部を流れる供給水を載置部が吸収することで、該載置部に載置された水溶性薬剤を、当該載置部に接した底面から徐々に溶解することができる。
このため、容器本体天面の取入口から取り込まれた水によって、内部の水溶性薬剤を外周部から溶解して小さくする構造上、溶解が進行するに連れて供給水と接する周面の表面積が徐々に小さくなる従来と比較して、経時的な溶解速度の低下を防止することができる。これにより、溶解時に放出する溶解成分の供給量を一定に保持することができる。
また、前記水溶性薬剤が外周部から溶解して小さくなる構造上、揮散成分が揮散する上面の表面積が徐々に狭くなる従来と比較して、上面から揮散する揮散成分の揮散量の経時的な減少を防止することができる。これにより、揮散成分の揮散量を一定に保持することができる。
したがって、水溶性薬剤による効果を最後まで安定して持続させることができる。
また、前記側方開口部の上部に、側方へ向けて突出した庇部が設けられており、前記カランからの供給水が前記側方開口部へ向けて流れた場合であっても、当該供給水を前記庇部によって側方へ流し落とすことができる。
【００３８】
これにより、前記側方開口部からの前記供給水の浸入を確実に防止することができる。
【００３９】
さらに、本発明の請求項３の薬剤容器にあっては、容器本体の上部に開設された側方開口部は、側方へ向けて開口するように構成されている。
このため、前記容器本体がカランの真下に配置され、当該カランからの供給水が容器本体上方から供給される場合であっても、前記側方開口部を介した容器本体内部への前記供給水の浸入を防止することができるとともに、前記水溶性薬剤からの揮散成分を前記側方開口部から外部へ放出することができる。
そして、水洗時には、容器本体の下部を流れる供給水を載置部が吸収することで、該載置部に載置された水溶性薬剤を、当該載置部に接した底面から徐々に溶解することができる。
このため、容器本体天面の取入口から取り込まれた水によって、内部の水溶性薬剤を外周部から溶解して小さくする構造上、溶解が進行するに連れて供給水と接する周面の表面積が徐々に小さくなる従来と比較して、経時的な溶解速度の低下を防止することができる。これにより、溶解時に放出する溶解成分の供給量を一定に保持することができる。
また、前記水溶性薬剤が外周部から溶解して小さくなる構造上、揮散成分が揮散する上面の表面積が徐々に狭くなる従来と比較して、上面から揮散する揮散成分の揮散量の経時的な減少を防止することができる。これにより、揮散成分の揮散量を一定に保持することができる。
したがって、水溶性薬剤による効果を最後まで安定して持続させることができる。
また、カランからの供給水が容器本体の上部から供給された場合であっても、当該供給水を前記容器本体の上部を構成する屋根部に沿って、その外周方向へ流した後、傾斜部に沿って外周部へ向けて流すことができる。
このとき、前記傾斜部の上部中央部には、上方へ向けて起立した起立部が起立しており、この起立部に、前記側方開口部が設けられている。このため、前記屋根部及び前記傾斜部に沿って流れる供給水を、前記側方開口部から離れる方向に案内することができ、前記側方開口部からの浸入を防止することができる。
さらに、前記側方開口部の上部に、側方へ向けて突出した庇部が設けられており、前記カランからの供給水が前記側方開口部へ向けて流れた場合であっても、当該供給水を前記庇部によって側方へ流し落とすことができる。
これにより、前記側方開口部からの前記供給水の浸入を確実に防止することができる。
そして、前記屋根部の周縁部が前記起立部より側方へ突出するように構成されており、当該屋根部の周縁部によって前記庇部が形成されている。
【００４０】
このため、前記屋根部の一部を、前記庇部として有効利用することができる。
【００４１】
また、前記屋根部に落ちた前記供給水を、前記庇部を構成する前記屋根部の周縁部によって、直接的に前記側方開口部から離れる方向へ案内して流し落とすことができる。
【図面の簡単な説明】
【００４２】
【図１】本発明の一実施の形態を示す一部断面図である。
【図２】同実施の形態の上容器を示す説明図である。
【図３】同実施の形態の下容器を示す説明図である。
【図４】同実施の形態のトレーを示す説明図である。
【図５】同実施の形態の要部の断面を示す拡大図である。
【図６】図２のＡ部拡大図である。
【発明を実施するための形態】
【００４３】
以下、本発明の一実施の形態を図に従って説明する。
【００４４】
図１は、本実施の形態にかかる薬剤容器１を示す図であり、該薬剤容器１は、トイレで使用されるものである。
【００４５】
すなわち、トイレには、水洗用の水を貯留する貯水タンク１１が設けられており、該貯水タンク１１の天部には、手洗い用の手洗い部１２が設けられている。該手洗い部１２には、手洗い用のカランが設けられており、前記貯水タンク１１に設けられた水洗レバーを操作時に、前記カランから水が供給されるように構成されている。このカランから供給された供給水は、前記手洗い部１２で受けられ、該手洗い部１２に沿って流れるとともに、当該手洗い部１２に設けられた開口部を介して前記貯水タンク内に貯留されるように構成されている。
【００４６】
前記薬剤容器１は、容器本体２１によって構成されており、該容器本体２１には、固形状の水溶性薬剤２２が収容されている。該水溶性薬剤２２は、芳香機能を有した芳香成分と、便器の洗浄機能を有した洗浄成分とを含有しており、前記芳香成分を揮散するように構成されている。また、前記水溶性薬剤２２は、前記カランからの供給水で溶解して前記洗浄成分を前記供給水に溶出するように構成されており、当該供給水が前記貯水タンク１１より便器へ流される際に当該便器を洗浄できるように構成されている。
【００４７】
前記容器本体２１内には、図２にも示すような上容器３１と、図３にも示すような下容器３２とによって構成されており、当該容器本体２１内部には、図４にも示すような載置部としてのトレー３３が収容されている。
【００４８】
該トレー３３は、図１及び図４に示したように、上方へ向けて開口した円形容器状のトレー本体４１からなり、該トレー本体４１は、円形状のトレー底面４２と該トレー底面４２の周縁より起立したトレー周壁４３とによって構成されている。該トレー周壁４３の上縁からは、トレーフランジ４４が側方へ向けて延出しており、当該トレーフランジ４４は、前記トレー本体４１の全周に渡って一体形成されている。該トレーフランジ４４には、対向する部位に矩形状の矩形切欠部４５，４５が形成されており、当該トレー３３を位置決めできるように構成されている。
【００４９】
前記トレー底面４２には、複数のトレー脚部５１，・・・が一体形成されている。各トレー脚部５１，・・・は、楕円形状に形成されており、前記トレー底面４２より下方へ向けて膨出形成されている。このトレー底面４２には、前記水溶性薬剤２２が載置されるように構成されており、当該水溶性薬剤２２は、図１に示したように、使用前状態においては、容器状のカップ５２に収容された状態で前記トレー３３上に載置されている。
【００５０】
このトレー３３は、水を浸透する浸透部材である不織布によって形成されており、当該薬剤容器１を前記貯水タンク１１の前記手洗い部１２に載置した状態で、当該手洗い部１２に沿って流れる供給水を吸収して吸い上げるように構成されている。
【００５１】
これにより、前記トレー底面４２上に載置された前記水溶性薬剤２２を、前記手洗い部１２より浮かせた状態に維持しつつ、当該トレー３３で吸い上げられた前記供給水によって前記トレー底面４２に接した底部から前記水溶性薬剤２２を溶解できるように構成されている。
【００５２】
前記容器本体２１の下部を構成する前記下容器３２は、図１及び図３に示したように、やや横長の楕円形の下容器底面６１と、該下容器底面６１の周縁より上方へ向けて延出した下容器側面６２とによって上方へ向けて開口した容器状に形成されており、該下容器側面６２は、上方へ向かうに従って側方へ膨出した曲面状に形成されている。
【００５３】
前記下容器底面６１には、楕円形状の底面開口部７１が開設されており、当該下容器底面６１は、前記底面開口部７１を包囲する楕円リング状に形成されている。この下容器底面６１には、下容器脚部７２，・・・が四ヶ所に形成されており、各下容器脚部７２，・・・は、下方へ向けて突出した半円板状に形成されている。
【００５４】
前記下容器底面６１の長手方向対向部位には、矩形状の切欠部８１，８１が形成されており、該切欠部８１，８１の奥側の縁からは、板状の起立壁８２，８２が上方へ向けて延出している。各起立壁８２，８２の上端部には、内側へ向けて突出した爪部８３，８３が一体形成されており、当該起立壁８２，８２の横幅は、前記トレー３３に設けられた前記矩形切欠部４５，４５の幅寸法よりやや細めに設定されている。
【００５５】
これにより、図１にも示したように、前記トレー３３の前記トレーフランジ４４に形成された前記矩形切欠部４５，４５を前記下容器３２の前記起立壁８２，８２に合わせってセットすることで、当該トレー３３の不用意な回転を防止できるように構成されている。また、前記起立壁８２，８２の前記爪部８３，８３が前記トレー３３の前記トレー周壁４３上縁に係合することで、当該トレー３３の不用意な離脱を防止できるように構成されており、前記トレー３３は、当該トレー３３の前記トレー周壁４３上縁が前記起立壁８２，８２の前記爪部８３，８３に当接した時点で上方への移動が規制されるように構成されている。
【００５６】
前記トレー３３は、前記トレー底面４２が前記下容器３２の前記下容器底面６１に支持されるように構成されており、当該トレー３３は、前記トレー底面４２が前記下容器３２の前記下容器底面６１に支持された状態で下方への移動が規制されるように構成されている。
【００５７】
これにより、前記トレー３３は、前記トレー底面４２が前記下容器底面６１に支持された状態から前記トレー周壁４３上縁が前記爪部８３，８３に当接した状態までの範囲内において上下動できるように構成されており、当該トレー３３は、前記手洗い部１２の載置面の形状に追従して上下動できるように構成されている。
【００５８】
また、前記トレー３３は、前記トレー底面４２が前記下容器３２の前記下容器底面６１に支持された状態で、前記各トレー脚部５１，・・・が前記下容器３２の前記下容器脚部７２，・・・より下方へ突出するように、その突出量が設定されている。
【００５９】
このため、当該薬剤容器１を前記手洗い部１２の載置面に載置した際には、前記トレー底面４２より下方に突出した前記トレー脚部５１，・・・が前記載置面に当接することで、当該トレー３３が上動する。そして、前記容器底面６１より下方へ突出した前記下容器脚部７２，・・・が前記手洗い部１２の載置面に当接することで当該薬剤容器１の載置状態が形成される。このとき、前記トレー３３は、上下動自在なため、前記トレー脚部５１，・・・が前記載置面に接した状態を維持することができる。
【００６０】
これにより、前記容器底面６１の前記下容器脚部７２，・・・が前記手洗い部１２の載置面に接するとともに、前記トレー３３の前記トレー脚部５１，・・・が前記載置面に接した状態を形成することができ、載置状態の安定性を高めることができる。
【００６１】
また、前記手洗い部１２が平坦面であるか傾斜面であるか等の載置面の形状に関わらず、前記トレー３３の前記トレー脚部５１，・・・を前記載置面に接触させることができるので、当該前記トレー脚部５１，・・・を、前記手洗い部１２を流れる水に必ず接触させることができる。
【００６２】
前記下容器側面６２の上縁には、図３及び図５に示すように、下容器薄肉部９１が外側面の延長上に形成されており、該下容器薄肉部９１の上縁部には、内側へ向けて突出した下凸部９２が一体形成されている。
【００６３】
前記容器本体２１の上部を構成する前記上容器３１は、図１及び図２に示したように、下側を形成する胴部１０１と、上側を形成する頭部１０２とによって構成されている。
【００６４】
前記胴部１０１は、下方へ向けて開口した半球容器状に形成されており、その外周面は、下方へ向かうに従って側方へ突出する緩やかなカーブを描いた傾斜部１１１を構成している。該傾斜部１１１の下縁には、図２及び図５に示したように、上容器薄肉部１１２が内側面の延長上に形成されており、該上容器薄肉部１１２の下縁部には、外側へ向けて突出した上凸部１１３が一体形成されている。
【００６５】
これにより、前記上容器３１を前記下容器３２にセットした際には、図５に示したように、当該上容器３１の前記上容器薄肉部１１２が前記下容器３２の前記下容器薄肉部９１の内側に配置されるとともに、前記上容器薄肉部１１２の前記上凸部１１３が前記下容器薄肉部９１の前記下凸部９２より下方に配置されることによって、当該上容器３１と前記下容器３２とが結合されるように構成されている。
【００６６】
この胴部１０１より上方に延出した前記頭部１０２は、図２に示したように、前記傾斜部１１１の上部中央部より上方へ向けて起立した円筒状の起立部１２１と、該起立部１２１の上部を閉鎖する屋根部１２３とによって構成されている。前記起立部１２１は、前記傾斜部１１１と連続して形成されており、前記起立部１２１及び前記屋根部１２３で包囲された空間は、前記傾斜部１１１を有した前記胴部１０１内に連通している。
【００６７】
前記起立部１２１には、当該上容器３１の側方へ向けて開口してスリット状の側方開口部１３１，・・・が等間隔をおいた四ヶ所に形成されており、各側方開口部１３１，・・・によって当該上容器３１の内部と外部とが連通している。
【００６８】
前記屋根部１２３は、円形状に形成されており、中央へ向かうに従って上方へ突出した球面状に形成されている。この屋根部１２３は、図２及び図６にも示すように、その周縁部が前記起立部１２１より側方へ突出するように構成されており、当該屋根部１２３の周縁部は、前記起立部１２１より側方へ延出するように構成されている。この延出部分は、前記側方開口部１３１，・・・の上部において当該側方開口部１３１，・・・の開口面より側方へ突出するように構成されており、各側方開口部１３１，・・・の上部に延出した庇部１４１を構成している。
【００６９】
以上の構成にかかる本実施において、前記薬剤容器１を使用する際には、下容器３２から上容器３１を分離し、収容された水溶性薬剤２２を取り出すとともに、当該水溶性薬剤２２からカップ５２を取り外す。そして、このカップ５２が取り外された水溶性薬剤２２をトレー３３のトレー底面４２上に載置して、前記上容器３１を前記下容器３２に固定するとともに、当該薬剤容器１をトイレの貯水タンク１１上に設けられた手洗い部１２に載置する。
【００７０】
このとき、前記水溶性薬剤２２の表面からは、芳香成分の揮散が開始されており、揮散された芳香成分は、前記容器本体２１の上部に設けられた側方開口部１３１，・・・を介して外部に放出される。
【００７１】
この状態において、前記貯水タンク１１に設けられた水洗レバーを操作してトレイの水を流すと、当該貯水タンク１１のカランから供給水が供給され、前記手洗い部１２で受けられる。
【００７２】
このとき、この手洗い部１２には、前記容器本体２１が載置されており、該容器本体２１内に収容された水溶性薬剤２２は、載置部を構成するトレー３３に載置されている。そして、このトレー３３は、前記供給水が浸透する浸透部材としての不織布で構成されており、当該トレー３３の少なくとも一部であるトレー脚部５１，・・・は、前記容器本体２１の底面を構成する下容器底面６１より下方へ突出するように構成されている。
【００７３】
このため、前記カランから供給され当該容器本体２１の下部を流れる供給水を、前記トレー３３で吸水し、この吸収した供給水によって前記トレー３３上に載置された前記水溶性薬剤２２を前記トレー底面４２に接する底面側から徐々に溶解することができる。
【００７４】
このとき、前記側方開口部１３１，・・・は、前記容器本体２１の上部に設けられており、側方へ向けて開口している。このため、当該容器本体２１が前記カランの真下に配置され、当該カランからの供給水が容器本体２１上方から供給された場合であっても、当該供給水の前記側方開口部１３１，・・・を介した容器本体２１内部への浸入を防止することができる。
【００７５】
このため、前記容器本体天面の取入口から取り込まれた水によって、内部の水溶性薬剤を外周部から溶解して小さくする構造上、溶解が進行するに連れて供給水と接する周面の表面積が徐々に小さくなる従来と比較して、経時的な溶解速度の低下を防止することができる。これにより、溶解時に放出する洗浄成分の供給量を一定に保持することができる。
【００７６】
また、前記水溶性薬剤２２が外周部から溶解して小さくなる構造上、芳香成分が揮散する上面の表面積が徐々に狭くなる従来と比較して、水溶性薬剤２２上面から揮散する芳香成分の揮散量の経時的な減少を防止することができる。これにより、芳香成分の揮散量を一定に保持することができる。
【００７７】
したがって、前記水溶性薬剤２２による効果を最後まで安定して持続させることができる。
【００７８】
そして、前記容器本体２１の上部を構成する上容器３１は、胴部１０１と頭部１０２とで構成されており、下側を構成する前記胴部１０１は、下方へ向かうに従って側方へ突出する傾斜部１１１を備えてなる。また、上側を構成する前記頭部１０１は、前記傾斜部１１１の上部中央部より上方へ向けて起立した筒状の起立部１２１と、該起立部１２１の上部を閉鎖する屋根部１２３とによって構成されており、前記起立部１２１に前記側方開口部１３１，・・・が設けられている。
【００７９】
このため、前記容器本体２１が前記カランの真下に配置され、該カランから供給水が供給された際には、当該供給水を、前記容器本体２１の天部を構成する前記屋根部１２３に沿って、その外周方向へ流した後、前記傾斜部１１１に沿って外周部へ向けて流すことができる。
【００８０】
このとき、前記傾斜部１１１の上部中央部には、上方へ向けて起立した前記起立部１２１が起立しており、この起立部１２１に、前記側方開口部１３１，・・・が設けられている。このため、前記屋根部１２３及び前記傾斜部１１１に沿って流れる供給水を、前記側方開口部１３１，・・・から離れる方向に案内することができ、当該側方開口部１３１，・・・からの浸入を防止することができる。
【００８１】
さらに、前記側方開口部１３１，・・・の上部には、側方へ向けて突出した庇部１４１が設けられており、前記カランからの供給水が前記側方開口部１３１，・・・へ向けて流れた場合であっても、当該供給水を前記庇部１４１によって側方へ流し落とすことができる。
【００８２】
これにより、前記側方開口部１３１，・・・からの前記供給水の浸入を確実に防止することができる。
【００８３】
そして、本実施の形態にあっては、前記屋根部１２３の周縁部が前記起立部１２１より側方へ突出するように構成されており、当該屋根部１２３の周縁部によって前記庇部１４１が形成されている。
【００８４】
このため、前記屋根部１２３の一部を、前記庇部１４１として有効利用することができる。
【００８５】
また、前記屋根部１２３に落ちた前記供給水を、前記庇部１４１を構成する前記屋根部１２３の周縁部によって、直接的に前記側方開口部１３１，・・・から離れる方向へ案内して流し落とすことができる。
【符号の説明】
【００８６】
１    薬剤容器
１１    貯水タンク
１２    容器本体
２１    容器本体
２２    水溶性薬剤
３３    トレー
６１    下容器底面
１１１    傾斜部
１２１    起立部
１２３    屋根部
１３１    側方開口部
１４１    庇部
【図１】
0005590938.tif 000002
【図２】
0005590938.tif 000003
【図３】
0005590938.tif 000004
【図４】
0005590938.tif 000005
【図５】
0005590938.tif 000006
【図６】
0005590938.tif 000007